(57)【要約】少なくとも１つのクラウン（２）；及び角度区分（３）を備えるリング（１）が提供され、角度区分（３）は、円周方向に連続し、実質的にクラウン（２）の内側に配置され、実質的に径方向摺動軸（３ｂ）に沿って並進するように構成され、リング（１）が最小値の内径を画定するように角度区分（３）が相互に接触する収縮形状；及びリング（１）の内径が前記最小値よりも大きい値を取るように角度区分（３）が離間して置かれる少なくとも１つの拡張形状を画定する。【選択図】  図１ａ及び図１ｂ
2015524291.tif 000002
【特許請求の範囲】
【請求項１】
少なくとも１つのクラウン（２）を備えるリング（１）において、前記リング（１）は、円周方向に連続し、前記少なくとも１つのクラウン（２）の内側に実質的に配置された角度区分（３）を備えること；前記角度区分（３）は、実質的に径方向摺動軸（３ｂ）に沿って並進でき、前記角度区分（３）が最小値の前記リング（１）の内径を画定する収縮形状、及び前記角度区分（３）が最大値の前記リング（１）の内径を画定する少なくとも１つの拡張形状を画定することを特徴とするリング（１）。
【請求項２】
前記収縮形状において、前記角度区分（３）は実際には相互接触する、請求項１に記載のリング（１）。
【請求項３】
前記少なくとも１つのクラウン（２）は、回収空間（２ａ）を画定し；前記角度区分（３）は、前記回収空間（２ａ）内に少なくとも部分的に収容されるように構成される、請求項１に記載のリング（１）。
【請求項４】
前記角度区分（３）は、前記摺動軸（３ｂ）に沿って並進する間に最大拡張形状を画定し、前記最大拡張形状では、前記角度区分（３）が前記回収空間（２ａ）の内側に実質的に完全に収容され、前記リング（１）の前記内径が前記少なくとも１つのクラウン（２）の内径と実質的に同じである、請求項１から３のうちいずれか一項に記載のリング（１）。
【請求項５】
前記角度区分（３）を前記摺動軸（３ａ）に沿って摺動可能にするように構成した、少なくとも１つの案内部（４）を備える請求項１から４のうちいずれか一項に記載のリング（１）であって；前記少なくとも１つの案内部（４）は、前記少なくとも１つのクラウン（２）及び少なくとも１つの摺動歯（４ａ）に固着される伝導保持器（４ｂ）を備え、前記少なくとも１つの摺動歯（４ａ）は、前記角度区分（３）から突出し、前記伝導保持器（４ｂ）に沿って摺動するように構成される、リング（１）。
【請求項６】
前記伝導保持器（４ｂ）は、前記回収空間（２ａ）で前記少なくとも１つのクラウン（２）に固着される、請求項１から５のうちいずれか一項に記載のリング（１）。
【請求項７】
前記伝導保持器（４ｂ）は、摩擦嵌合により前記少なくとも１つのクラウン（２）に固着される、請求項１から６のうちいずれか一項に記載のリング（１）。
【請求項８】
前記角度区分（３）が実質的に前記摺動軸（３ａ）に沿って移動するように、前記少なくとも１つのクラウン（２）と前記角度区分（３）との間に挿入するように構成した弾性手段（５）を備える、請求項１から７のうちいずれか一項に記載のリング（１）。
【請求項９】
前記角度区分（３）は、前記弾性手段（５）を部分的に収容するように構成した少なくとも１つの座（３ｃ）を備える、請求項１から８のうちいずれか一項に記載のリング（１）。
【請求項１０】
前記弾性手段（５）は、前記リング（１）に前記収縮形状をもたらすように構成される、請求項７又は８に記載のリング（１）。
【請求項１１】
前記弾性手段（５）は圧縮ばねである、請求項７〜９のうちいずれか一項に記載のリング（１）。
【発明の詳細な説明】
【技術分野】
【０００１】
本発明は、請求項１のプリアンブルに記載の種類のリングに関する。
【背景技術】
【０００２】
現在、リングは、それらの形状、材料及び石を考慮に入れて分類されるだけでなく、指の大きさに応じてユーザに最も適切であるリングを選択することが可能であるようにリングの内径に基づいても分類されることは公知である。
【０００３】
具体的には、この選択は、妥当ではない内径を有するリングが多くの無視できない問題を生じさせるので非常に重要である。
【０００４】
より具体的には、内径が小さすぎる場合、リングの着用は、特に厄介なこととなり、場合によっては、リングをユーザの指に嵌めることができないのでリングの着用が不可能である。これに反して、内径が大きすぎる場合、リングは指に好都合に固定したままにならず、そのため、リングは、不快で不安定であるように見え、場合によってはリングが期せずして指から抜け落ちるおそれさえある。
【０００５】
しばしば、リングの最初の正確な選択にもかかわらず、指は大きさが変わることがあり、そのため、当初はユーザの指に完全に嵌まったリングは、もはやそうではなく、指輪の着用が快適ではなくなる。
【０００６】
更に、指骨本体に比べて特に大きな指関節を有する一部の人々は、指輪の着用が困難であると感じる。
【０００７】
この問題を解決する試みにおいて、リングの内径を変更し、それによってリングを指の新たな大きさに調節可能にする解決策が考案されている。
【０００８】
第１の解決策は、宝飾品業者によって実施され、例えば材料の除去／追加又は加熱及び打ち延ばし等、リングの内径を変更するように構成する加工作業にある。
【０００９】
別の解決策は、環状構造体の使用を企図するものであり、この環状構造体は、リングを内側で結合するように構成され、タブ及びねじりばねを備え、タブは、環状構造体の内側に固定式に固着した近位端、及び構造体自体から適切に離間され、リングのより小さな内径を画定することになる遠位端を有し、ねじりばねは、近位端に近接して締結され、遠位端をリングから離すように構成される。
【００１０】
この場合、リングを着用すると、指と接触する遠位端は指自体によって押され、そのために、タブがねじりばねの作用に対して回転し、遠位端をリングに近接させ、次に指に載置させる。
【００１１】
上記した公知の技術は、いくつかの重要な欠点を有する。
【００１２】
とりわけ宝飾品業者の加工作業に関係する第１の欠点は、そうした加工作業がリングの外観を変更し、したがって品質を低下させることを表す。
【００１３】
こうした加工作業の別の欠点は、加工作業が指の大きさのその後の変化にはリングを適用可能にしないことである。具体的には、加工作業が完了した後に、指の大きさが再度変化した場合、リングを指に再適合させることは不可能であり、新たな加工作業を行うことが必要であり、このことは、リングの質に更なる外観の低下をもたらすことになる。
【００１４】
これらの加工作業の別の問題は、拡張部が第一指骨の端部に存在する場合、リングの着用は快適ではないことである。というのは、リングの指に対する拡張は、指骨端部に比べて第１指骨の中心部はより小さい区分であるために、正しく生じないためである。
【００１５】
公知の調節デバイスに関連する重要な問題は、リングを着用しない場合、タブは、ねじりばねの作用のために環状構造体から突出し、リングに質の低い外観を与えるということを表す。
【００１６】
更に、タブの変形がタブを環状構造体上に完全に敷設可能にしない場合、前記タブは指からリングの間隔を開け、したがってリングの外観を悪化させる。
【００１７】
こうしたデバイスの別の問題は、指に圧力を付与するこうしたタブが、リングを快適さ感覚の低いものにすることにある。
【発明の概要】
【発明が解決しようとする課題】
【００１８】
この状況下、本発明の基礎をなす技術的任務は、上述した欠点を実質的になくすことができるリングを考案することである。
【００１９】
この技術的任務の範囲内で、本発明の重要な目的は、リングの適合が理由でリングの外観の質を低下させずに、リング自体を指に適合できるリングを考案することである。
【００２０】
本発明の別の重要な目的は、異なる大きさの指に嵌めることができると同時に、常に高い快適さ感覚をもたらすリングを得ることである。
【課題を解決するための手段】
【００２１】
技術的任務及び特定される目的は、添付の請求項１に請求されるリング用調節デバイスによって達成される。
【００２２】
好ましい実施形態は、従属請求項で強調する。
【００２３】
本発明の特徴および利点は、添付の図面を参照しながら、本発明の好ましい実施形態の詳細な説明により以下で明らかにする。
【図面の簡単な説明】
【００２４】
【図１】本発明によるリングの分解正面図である。
【図１ｂ】図１の分解軸測投影図である。
【図２ｂ】図２ａの構成の軸測投影図である。
【図３ａ】本発明によるリングの第２の構成を示す図である。
【図３ｂ】図３ａの構成の軸測投影図である。
【発明を実施するための形態】
【００２５】
図面を参照すると、本発明によるリングは、全体が参照番号１で特定される。
【００２６】
リング１は、通常は価値の高い材料から製造される少なくとも１つのクラウン２；クラウン２の内側に実質的に置かれる複数の角度区分３；及び場合によってはクラウン２に適切に締結される１つ又は複数の宝石４を備える。区分３は、円周方向に連続して適切に配置され、具体的には、区分３は、好ましくは実質的にアーチ形の延在方向３ａを画定し、この延在方向部３ａは、好ましくは、区分３が環を実質的に画定するように実際には同じ円周内にある。
【００２７】
区分３は、クラウン３の内面に形成した回収空間２ａの内側に少なくとも部分的に収容されるか、又はリングが２つ以上の適切に離間するクラウン１１を備える場合、２つのクラウン１１の間に含まれる空間により画定される。角度区分３は、クラウン２の断面と実質的に一致する断面を更に有し、エラストマ又は好ましくはリング１を製造するのと同じ材料、即ち金、銀又は他の貴金属から製造される。
【００２８】
角度区分３は、有利には、実質的に径方向摺動軸３ｂに沿って互いに移動可能であり、回収空間２ａに対して並進するようにし、且つ角度区分３が少なくとも部分的にクラウン２から突出し、リング１が最小値の内径を有するようにほとんど相互に接触する収縮形状（図３ａ及び図３ｂ）；及び角度区分３が、リング１が前記最小値よりも大きいリング最大内径を有するように離間する少なくとも１つの拡張形状を画定するようにする。
【００２９】
具体的には、角度区分３は、摺動軸３ｂに沿った並進によって、区分３が回収空間２ａの内側にほぼ完全に収容され、したがってリング１が最大値の内径を有する、即ちクラウン２の内径と実質的に同じである最大拡張形状（図２ａ及び図２ｂ）を更に画定する。
【００３０】
これらの形状を変化させると同時に摺動軸３ｂに沿った前記並進を確実にするために、リング１は、この並進を軸３ｂに沿って角度区分３に加えるように構成した１つ又は複数の案内部４を備える。
【００３１】
案内部４は、角度区分３から突出する少なくとも１つの摺動歯４ａ、及び歯４ａがそれに沿って摺動する伝導保持器４ｂ、例えばピンを備え、この伝導保持器４ｂは、好ましくはリング１の軸の大きさよりも大きい棒部分を溶着し、次に回収空間２ａに沿って形成される差込み孔４ｃで前記棒を切断することによって、クラウン２に固着するように構成される。代替的に、伝導保持器４ｂ及びクラウン２は、一体構造のものである。
【００３２】
各案内部４は、連続する角度区分の端部から突出する２つの係合歯４ａを有し、そのために、形状の変更中、歯は１つの伝導保持器４ｂに沿って同時に摺動する。
【００３３】
係合歯４ａは、延在方向３ａと実質的に一致する延在方向、或いは、好ましい延在方向３ａに対して外方に逸脱する、即ち延在方向３ａにより画定される外周の外部にある延在方向を画定する。
【００３４】
更に、係合歯４ａは、リング１の中心軸の方向に、角度区分の大きさよりも小さい大きさを有する。好ましくは、係合歯４ａは、角度区分３の大きさの半分よりも小さい前記大きさを有し、そのために、連続角度区分３に属する係合歯４ａは、円周方向で少なくとも部分的に重なる、具体的には収縮形状で完全に重なり、角度区分３を実質的に互いに接触させるように構成される。
【００３５】
最後に、リング１は、クラウン２と角度区分３自体との間に挿入されるように、角度区分３を摺動軸３ｂに沿って移動させることによってリング１の形状を変更し、角度区分３に固着するように構成した弾性手段５を備える。具体的には、リング１は、各角度区分３に対して、角度区分３の重心に対してほぼ鏡像関係で適切に配置される２つの弾性手段の存在をもたらす。
【００３６】
弾性手段は、角度区分３を摺動軸３ｂに沿って移動させることによってリングを収縮形状に戻すことを可能にするように構成したばね、好ましくは圧縮ばねとすることができる。
【００３７】
これらの手段は、クラウン２に近接する区分３の表面に形成された座３ｃに部分的に挿入することにより、或いはこれらの近接区分から突出するペグにより角度区分３に結合して弾性手段５自体と係合するようにする。
【００３８】
更に、弾性手段５の正確な作用を確実にするために、前記手段５は、クラウン２、具体的には回収空間２ａに形成された更なる座に部分的に挿入できる。
【００３９】
構造に関して上記で説明したリングの操作は、以下のとおりである。載置時、リング１は、収縮形状にある、即ち、角度区分３は、リング１が最小値の内径を有するように実質的に互いに接触し、回収空間２ａから少なくとも部分的に突出する。操作者がリング１を装着すると、指がリング１の内径の最小値と同じ直径を実質的に有する場合、リングは嵌まり、収縮形状を保持する。
【００４０】
或いは、指が最小値よりも大きい直径を有する場合、角度区分３は、指により押され、摺動軸３ｂに沿って並進して拡張形状に変わる、即ちリング１の内径の値が増大する。
【００４１】
具体的には、角度区分３は、角度区分３と指との間の接触により、弾性手段５の作用に反して摺動軸３ｂに沿って移動し、そのために、角度区分３は、回収空間内に更に挿入され、したがって収縮形状にある最小値に対し内径の増大を決定する。
【００４２】
より詳細には、指がクラウン２の直径と実質的に一致する直径を有する場合、リング１は、角度区分３がほぼ完全に収容され、リングの内径が最大値を取る最大拡張形状になる。
【００４３】
最後に、リング１は、指から外されると、弾性手段５により収縮形状に戻り、この弾性手段５は、拡張形状に変わる間に圧縮された後、そのエネルギーを解放し、角度区分３を並進させ、このようにして角度区分３を実質的に互いに接触する状態に戻す。
【００４４】
本発明は、重要な利点を可能にする。
【００４５】
第１の重要な利点は、角度区分３の特定の移動により、指が受けることのある大きさの変化にリング１自体を適合できることを表す。
【００４６】
別の利点は、第一指骨の端部が同指骨の中心部に対して拡張部を有する場合でさえ、リング１自体をその指に完全に適合できることにある。
【００４７】
実際は、摺動軸３ｂに沿った角度区分３の並進及び弾性手段５の存在により、リング１は、拡張部を通るようにその内径を増大でき、次に第一指骨の中心部で指に完全に嵌まるように内径を再度低減できる。
【００４８】
別の利点は、角度区分３はクラウン２の断面と実質的に一致する断面を有するので、リング１は、特に高品質及び高価値の特徴を有することを表す。
【００４９】
具体的には、リング１が最大拡張形状で配置される場合、区分３は、回収空間２ａ内にほぼ完全に収容されることになり、そのために、区分３は、視界から完全に隠れ、したがってリング１は元の均整を有し、結果として最大の価値及び品質を有する。
【００５０】
この品質特徴は、角度区分３を貴金属から製造することによって更に増大する。
【００５１】
具体的には、区分３の存在は、区分３をクラウン２と同じ材料から製造し、前記クラウン２の断面と実質的に一致する断面を有ためにリングの外観に変化を生じさせず、したがって特に高い価値を常に保持する。
【００５２】
角度区分３の特定断面から得られる更なる利点は、前記区分が、現在使用されるタブと比較すると特に広範囲な指との接触面を画定し、そのために、角度区分３が、リング１を着用する際に高い快適さ感覚を与えることができることである。
【００５３】
本発明は、本発明の発想の範囲内にある変更が可能である。説明し、特許請求する要素の全ては、等価要素と取り替えることができ、その細部、材料、形状及び大きさは、あらゆる性質及び規模のものとすることができる。
【符号の説明】
【００５４】
１  リング
２  クラウン
２ａ  回収空間
３  角度区分
３ｂ  摺動軸
４  案内部
４ｂ  伝導保持器
５  弾性手段
【図１ａ】
2015524291.tif 000003
【図１ｂ】
2015524291.tif 000004
【図２ａ】
2015524291.tif 000005
【図２ｂ】
2015524291.tif 000006
【図３ａ】
2015524291.tif 000007
【図３ｂ】
2015524291.tif 000008
【国際調査報告】
2015524291.tif 000009
2015524291.tif 000010